(57)【要約】  本発明の複合防爆型電動機は、複合防爆型電動機において、内部に空間部を形成し、軸方向の一端が開放される筐体状の本体と、前記本体の開放された軸方向の一端に対向するように開放された軸方向の一端が位置され、内部に端子ケーブルが外部から位置される空間部を形成する筐体状の端子箱と、前記端子箱と前記本体との対向する端部の間に位置されて別途の締結部材により前記端子箱と前記本体との対向する端部を連結し、前記端子ケーブルの端部が前記本体の内部に貫通位置されるように端子挿入孔を形成する中間板と、を含む。
2013535947.tif 000002
【特許請求の範囲】
【請求項１】
複合防爆型電動機において、
内部に空間部を形成し、軸方向の一端が開放された筐体状の本体と、
前記本体の開放された軸方向の一端に、対向するように開放された軸方向の一端が位置され、内部に端子ケーブルが外部から位置される空間部を形成する筐体状の端子箱と、
前記端子箱と前記本体との対向する端部の間に位置されて別途の締結部材により前記端子箱と前記本体との対向する端部を連結し、前記端子ケーブルの端部が前記本体の内部に貫通位置されるように端子挿入孔を形成する中間板と、
を含むことを特徴とする複合防爆型電動機。
【請求項２】
前記本体と前記端子箱との対向する一端には、同一線上をなすように軸方向に貫通された多数の第１、２締結孔が周に沿って形成され、
前記中間板は、前記第１締結孔と同一線上をなし、前記第１締結孔を介して前記締結部材が貫通結合されるように、多数の第３締結孔が周に沿って形成されることを特徴とする請求項１に記載の複合防爆型電動機。
【請求項３】
前記端子ケーブルの端部は、前記本体と前記端子箱の密箱構造維持のために防爆形式のケーブルグランドを使用することを特徴とする請求項２に記載の複合防爆型電動機。
【請求項４】
前記中間板は、軸方向一面の中央部分が折り曲げられて前記本体の空間部に一部分挿入され、反対側の他側面に凹部が形成され、
前記端子箱は、前記本体の一端と対向する一端に、前記中間板の一面に接する結合板が形成され、前記結合板の中央に形成された貫通部を中心に、縁側端部が軸方向に突出されて前記凹部に接するように挿入位置されることを特徴とする請求項１に記載の複合防爆型電動機。
【発明の詳細な説明】
【技術分野】
【０００１】
本発明は防爆型電動機に関し、特に本体と端子箱とを区分する中間板を適用することで、ＩＥＣ規格が要求するそれぞれ異なる防爆構造の要求事項を満足させるとともに、２つの防爆形式を連結する隔壁構造の複合防爆型電動機に関する。
【背景技術】
【０００２】
従来の防爆型電動機は、爆発危険性の高い、石油、化学産業分野に用いられる特殊機器である。防爆型電動機の一例として耐圧防爆構造と安全増防爆構造とがある。
【０００３】
そこで、耐圧防爆構造（Ｅｘｄ、  Ｆｌａｍｅｐｒｏｏｆ  ｔｙｐｅ）は容器内部の爆発によっても容器が爆発圧に耐え、容器の接合面及び開口部などを介して外部の爆発性雰囲気に容器内部の火炎が伝達できない構造を有する。
【０００４】
そして、安全増防爆構造（Ｅｘｅ、  Ｉｎｃｒｅａｓｅｄ  ｓａｆｅｔｙ  ｔｙｐｅ）は電気機器においてスパーク（Ｓｐａｒｋ）、アーク（Ａｒｃ）または高温部が発生することを防止させ、機械的、電気的な安全度を増加させる構造を有する。
【０００５】
このような従来の防爆型電動機の耐圧防爆型構造は、爆発圧に耐えられる容器の構造的剛性のために、製品の鉄板厚さが一般製品に比べて厚い特性を有する。
【０００６】
そのために、耐圧防爆型端子箱は、安全増端子箱より重く、製作コストも高く、規格が要求する防爆認証試験が複雑となるため、ケーブル（Ｃａｂｌｅ）引出線の数量変更のような構造変更に制約がある。
【発明の概要】
【発明が解決しようとする課題】
【０００７】
したがって、本発明は、前記のような従来の問題点を解決するためのものであって、電動機本体（Ｆｒａｍｅ）と端子箱との間に隔壁を形成する中間板を適用することで、電動機本体（Ｆｒａｍｅ）の内部爆発時にも容器が爆発圧力に耐えられるようにするとともに、電動機本体のいかなる接合面及び開口部などを介して外部の爆発性雰囲気に容器内部の火炎が伝達されないようにし、２次的に生じうる電動機外部の爆発を防止しようとするものである。同時に、電動機端子箱では、内部からスパーク（Ｓｐａｒｋ）、アーク（Ａｒｃ）または高温部が発生することを防止して根本的に発火の危険性を除去し、機械的、電気的な安全度を増加させることができる複合防爆型電動機を提供することにその目的がある。
【課題を解決するための手段】
【０００８】
前記目的を達なするための複合防爆型電動機は、複合防爆型電動機において、内部に空間部を形成し、軸方向の一端が開放される筐体状の本体と、前記本体の開放された軸方向の一端に対向するように開放された軸方向の一端が位置され、内部に端子ケーブルが外部から位置される空間部を形成する筐体状の端子箱と、前記端子箱と前記本体との対向する端部の間に位置されて別途の締結部材により前記端子箱と前記本体との対向する端部を連結し、前記端子ケーブルの端部が前記本体の内部に貫通位置するように、端子挿入孔を形成する中間板と、を含むことを特徴とする。
【０００９】
そこで、前記本体と前記端子箱の対向する端部には同一線上をなすように、軸方向に貫通された多数の第１、２締結孔が周に付いて形成され、前記中間板は、前記第１締結孔と同一線上をなし、前記第１締結孔を介して前記締結部材が貫通結合されるように、多数の第２締結孔が周に沿って形成されることが好ましい。
【００１０】
そして、前記端子ケーブルの端部は、前記本体と前記端子箱との密箱構造を維持するために防爆形式のケーブルグランドを用いることが好ましい。
【００１１】
また、前記中間板は、軸方向一面の中央部分が折り曲げられて前記本体の空間部に一部挿入され、反対側の他側面に凹部が形成され、前記端子箱は、前記本体の一端と対向する一端に、前記中間板の一面に接する結合板が形成され、前記結合板の中央に形成された貫通部を中心として縁側端部が軸方向に突出されて前記凹部に接するように挿入位置することが好ましい。
【発明の効果】
【００１２】
前述したように、本発明は互いに異なる防爆形式の電動機本体と端子箱の防爆構造を維持及び分離させる中間隔壁が形成されているため、非理想的な状況である爆発時には電動機本体が爆発圧力に耐えられるようにし、電動機本体のいかなる接合面及び開口部などによっても電動機内部の火炎が外部の爆発性雰囲気に伝達されないようにして、２次的に生成する爆発を防止することができる。
【００１３】
また、電動機端子箱は、内部からスパーク（Ｓｐａｒｋ）、アーク（Ａｒｃ）または高温部が発生することを根本的に防止して発火の危険性を最小化させた機械的、電気的な安全度を増加させる複合防爆型電動機を提供することができる長所がある。
【図面の簡単な説明】
【００１４】
【図１】本発明に係る複合防爆型電動機の構造を示す断面図である。
【図２】本発明に係る複合防爆型電動機の中間板を示す図である。
【発明を実施するための形態】
【００１５】
以下で添付図面を参照しながら、本発明の好適な実施形態について詳細に説明する。
【００１６】
本発明の説明において、定義された用語は、本発明での機能を考慮して定義したものであって、本発明の技術的構成要素を限定する意味と理解してはいけない。
【００１７】
図１及び図２に示すように、本発明による複合防爆型電動機１００は、内部に第１空間部１１２を形成し、軸方向の一端が開放された筐体状の本体１１０と、前記本体１１０の開放された軸方向の一端に、対向するように開放された軸方向の一端が位置し、内部に端子ケーブル１４０が外部から位置される第２空間部１２２を形成する筐体状の端子箱１２０と、前記端子箱１２０と前記本体１１０との対向する端部の間に位置されて別途の締結部材１５０により前記端子箱１２０と前記本体１１０との対向する端部を連結し、前記端子ケーブル１４０の端部が本体１１０の内部に貫通位置するように端子挿入孔１３２を形成する中間板１３０と、を含む。
【００１８】
前記本体１１０と端子箱１２０は、対向する軸方向の一端が貫通する円筒状を有することが好ましいが、これに限らず、多様な形態で製作することができる。
【００１９】
ここで、本体１１０と前記端子箱１２０との対向する一端には同一線上をなすように、軸方向に貫通した多数の第１締結孔１１１が周に沿って形成される。
【００２０】
そして、中間板１３０には、前記第１、２締結孔１１１、１２１と同一線上をなし、前記第１締結孔１１１または第２締結孔１２１を介して前記締結部材１５０が貫通結合されるように、多数の第３締結孔１３１が周に沿って形成される。
【００２１】
また、前記中間板１３０は軸方向一面の中央部分が折り曲げられて、本体１１０の第１空間部１１２に対応されるように挿入された凸部１３３が突出形成され、反対側の他側面に凹部１３４が形成される。
【００２２】
同時に、端子箱１２０は本体１１０の一端と対向する一端に中間板１３０の一面に接する結合板１２３が形成される。
【００２３】
前記結合板１２３の中央部位には、後述する端子ケーブル１４０が貫通設置されるように、多数の貫通部が軸方向に貫通形成される。そして、前記結合板１２３の中央に形成して貫通された部位を中心に、縁側端部が軸方向に突出されて前記凹部１３４に接するように挿入位置されることができる。
【００２４】
一方、前記中間板１３０は、前述の本体１１０と端子箱１２０との対向する端部の間に結合されるように円板状を有することが好ましい。
【００２５】
そして、前記中間板１３０の一面の中央部位には、軸方向に突出された凸部１３３が形成され、反対側の面に凹部１３４が形成されることができる。
【００２６】
また、周に沿って形成された第２締結孔１２１は円周に沿って多数に形成することができる。
【００２７】
また、ケーブル引出時は、中間板１３０にケーブルグランドを利用してケーブルを固定する必要がある。これは、電動機本体１１０が耐圧防爆型電動機形式を維持し、電動機端子箱１２０が安全増ボックス構造を維持するための密箱維持方法である。
【００２８】
すなわち、前記凸部１３３が本体１１０の第１空間部１１２内に挿入位置されて中間板１３０の現位置を決定し、凹部１３４で端子箱１２０の結合位置に正確に位置させる。
【００２９】
その後、本体１１０の第１締結孔１１１または端子箱１２０の第２締結孔１２１を介して締結部材１５０を結合することで、中間板１３０が本体１１０と端子箱１２０との間に隔壁をなすように結合させる。
【００３０】
結果的に、本発明は容器の内部に隔壁を形成しているため、爆発時にも電動機本体１１０が爆発圧力に耐えられるようにし、電動機本体１１０の接合面及び開口部などを介して外部の爆発性雰囲気に容器内部の火炎が伝達されないので、２次的に発生する爆発を防止することができる長所がある。
【００３１】
また、端子箱１２０は、内部からスパークＳｐａｒｋ、アークＡｒｃまたは高温部が発生することを防止することで、根本的に発火の危険性を防止し、機械的、電気的安全度を増加させることができる長所がある。
【００３２】
前述のように、本発明による複合防爆型電動機１００に対する技術思想を、添付図面を参照しながら説明したが、これは本発明の適好な実施形態を例示的に説明するものであって、本発明を限定するものではない。
【００３３】
したがって、この技術分野の通常の知識を有する者であれば、本発明の技術思想の範囲を離脱しない範囲内で、寸法及び模様そして構造などの多様な変形及び模倣ができることは明白な事実であり、このような変形及び模倣は本発明の技術思想の範囲に含まれるものである。
【産業上の利用可能性】
【００３４】
電動機本体と電動機端子箱において、本体と端子箱とを区分する中間板を適用し、ＩＥＣ規格が要求するそれぞれ異なる防爆構造の要求事項を満足させながら２つの防爆形式を連結されたものである。
【符号の説明】
【００３５】
１１０  本体、１１１  第１締結孔、１２０  端子箱、１２１  第２締結孔、１２３  結合板、１３０  中間板、１３１  第３締結孔、１４０  端子ケーブル、１５０  締結部材
【図１】
2013535947.tif 000003
【図２】
2013535947.tif 000004
【国際調査報告】
2013535947.tif 000005
2013535947.tif 000006
2013535947.tif 000007
2013535947.tif 000008